(57)【特許請求の範囲】
【請求項１】
施錠モードおよび開錠モードで動作可能な南京錠であって、前記南京錠は、
ヒール部およびトー部を有する掛け金と、
前記掛け金の前記ヒール部を収容するように構成されるロックハウジングと、
前記ロックハウジング内に設置され、コード式施錠機構を提供するように配置されるスピンドルと、
複数のクラッチと、
複数のダイヤルと、
前記スピンドルと関連して設置されるオーバーライド機構と、
を備え、
前記ロックハウジングが、上部部分、中央部分および底部部分を備え、前記上部部分が、前記トー部に係合するように配置され、前記掛け金が、第１掛け金位置から第２掛け金位置へと、前記ロックハウジングから部分的に開放されることが可能であり、
前記コード式施錠機構が、コードの組み合わせに基づいて前記南京錠を前記施錠モードまたは前記開錠モードに動作させるように構成され、前記スピンドルは、円筒状表面を備え、
前記複数のクラッチは、前記スピンドルの前記円筒状表面上に回転可能に取り付けられ、
前記複数のダイヤルは、前記コードの組み合わせを形成するために、前記クラッチと関連して前記ロックハウジングの前記中央部分に取り付けられ、
前記オーバーライド機構は、前記南京錠が前記開錠モードに動作させるように作動可能であり、前記南京錠が前記施錠モードに動作されたとき、前記掛け金は、前記第１掛け金位置にあり、前記南京錠が前記開錠モードに動作されたとき、前記掛け金は、前記第２掛け金位置にあり、前記スピンドルに対する前記クラッチの回転移動を制御するように、前記クラッチのそれぞれが、突出した外側リングを備え、前記突出した外側リングが、前記ロックハウジングの前記上部部分と対向するリング表面を有し、前記リング表面が、１つまたは複数の突出フィンをその上に有し、前記ダイヤルのそれぞれが、内径を画定する内壁を有し、前記ダイヤルのそれぞれが、前記内径から内側に突出する、突出した内側リングを備え、前記突出した内側リングが、上部および下部を有し、前記上部が、前記ロックハウジングの前記上部部分と対向する上表面を有し、前記下部が、クラッチの前記１つまたは複数の突出フィンを受容するように配置される複数のリング間隙をその上に有する、
南京錠。
【請求項２】
前記掛け金の前記ヒール部が、首部領域を備え、前記南京錠が、前記施錠モードに動作されたときに、前記掛け金が前記第１掛け金位置から離れるように移動することを防止するように、前記ヒール部の前記首部領域に係合するように配置されるフォークを有するラッチをさらに備える、請求項１記載の南京錠。
【請求項３】
前記スピンドルが、前記ヒール部を収容するためのスピンドルチャネルを備え、前記スピンドルチャネルは、前記ヒール部の前記首部領域の一部を収容するためのチャネル部を有し、前記ラッチは、前記チャネル部と関連して設置され、前記スピンドルが、前記フォークを、前記ヒール部の前記首部領域との係合関係を維持するように、前記ラッチに係合するように配置されるカムをさらに備える、請求項２記載の南京錠。
【請求項４】
前記オーバーライド機構が、鍵によって作動可能であり、それによって、前記カムが前記ラッチの前記フォークの、前記ヒール部の前記首部領域との係合を解除し、前記掛け金が前記第１掛け金位置から前記第２掛け金位置へと移動することが可能になる、請求項３記載の南京錠。
【請求項５】
前記ロックハウジングの前記底部部分が、本体下部を備え、前記スピンドルが第１スピンドル位置から第２スピンドル位置への垂直移動で前記ロックハウジングの前記上部部分に向けて上方向に移動させられ得るように、前記スピンドルが前記本体下部上に移動可能に取り付けられ、前記クラッチのそれぞれが、所定のリング厚さおよび前記リング厚さに亘って形成される解錠用間隙を有する突出した内側リングを備え、前記スピンドルが、前記円筒状表面から延びる複数の突出部を備え、各突出部は、クラッチと関連付けされ、それによって、前記突出部が前記関連付けされたクラッチの前記解錠用間隙と揃わないとき、前記クラッチの前記内側リングは、前記スピンドルが上方向に移動することを防止する、請求項３記載の南京錠。
【請求項６】
前記南京錠が前記施錠モードに動作されたとき、前記ダイヤルは、前記コードの組み合わせを変えるために、前記スピンドルに対して回転可能であり、前記クラッチは前記ダイヤルとともに回転させられ、前記コードの組み合わせが所定のコードに一致する場合、各前記クラッチの前記解錠用間隙が、前記スピンドルの関連する突出部と揃い、前記掛け金が、前記第１掛け金位置から前記第２掛け金位置へと上方向に引き上げられると、前記スピンドルが、前記第１スピンドル位置から前記第２スピンドル位置へと移動することが可能となり、前記開錠モードで前記南京錠を動作させる、請求項５記載の南京錠。
【請求項７】
前記複数のダイヤルが、第１のダイヤルおよび最後のダイヤルを含むダイヤルスタックを形成し、前記最後のダイヤルは、前記ロックハウジングの前記本体下部と接触するように位置付けられ、前記ロックハウジングの前記上部部分が、前記第１のダイヤル上に取り付けられる本体上部を備え、前記本体上部は、ロック孔および本体上部孔を備え、前記ロック孔は、前記掛け金の前記トー部を受容するように寸法決めされ、前記本体上部孔は、前記掛け金の前記ヒール部の設置のために、前記スピンドルチャネルと連通し、前記本体上部孔が、延在する第１の切欠き部および延在する第２の切欠き部を有し、前記掛け金の前記ヒール部が、前記掛け金が前記第１掛け金位置にあるとき、前記本体上部孔に隣接して、前記ロックハウジング内に位置する掛け金突出部を備え、前記掛け金が、前記第２掛け金位置へと上方向に移動させられると、前記掛け金突出部もまた、延在する前記第１の切欠き部を通過して前記ロックハウジングの外部へと移動させられる、請求項６記載の南京錠。
【請求項８】
前記複数のクラッチが、前記第１のダイヤルと関連付けられる第１のクラッチ、および前記最後のダイヤルと関連付けられる最後のクラッチを有するクラッチスタックを形成し、前記スピンドルが、前記スピンドルの前記円筒状表面から延びるスピンドルエッジを備え、前記スピンドルエッジは、前記第１のクラッチの前記突出した内側リングと関連して位置付けられ、前記第２掛け金位置にある前記掛け金が、前記掛け金突出部を前記本体上部孔の延在する前記第２の切欠き部と揃えるように回転させられると、前記掛け金の前記ヒール部は、前記スピンドルを下方向移動で下方向に移動させるように下方向に移動することが可能となり、前記スピンドルの前記下方向移動は、前記スピンドルの前記スピンドルエッジが前記第１のクラッチの前記突出した内側リングを下方向に押し下げると、前記クラッチの、前記ダイヤルとの係合を解除させる、請求項７記載の南京錠。
【請求項９】
前記スピンドルの前記下方向移動は、また、前記スピンドルの前記突出部を、前記クラッチの前記解錠用間隙に係合させ、前記クラッチが前記スピンドルに対して回転することが防止され、前記クラッチの、前記ダイヤルとの係合が解除されると、前記ダイヤルは、リセットプロセスにおいて、前記所定のコードを変更するために、独立して、個別に回転させられることが可能である、請求項８記載の南京錠。
【請求項１０】
前記ロックハウジングの前記底部部分が、前記スピンドルの前記下方向移動に続いて、前記掛け金および前記スピンドルが上方向に移動させられた後に、前記クラッチを上方向に移動させるための付勢力を与えるように配置されるばねを備える、請求項８記載の南京錠。
【請求項１１】
前記クラッチのそれぞれが、第１の面および反対側の第２の面を備え、前記第１の面は、前記１つまたは複数の突出フィンを備え、前記反対側の第２の面は、複数の表面凹部を有する表面を有し、前記南京錠は、複数のラチェットウェーブプレートをさらに備え、前記ラチェットウェーブプレートのそれぞれは、クラッチと関連付けられるように配置され、各ラチェットウェーブプレートは、前記クラッチが前記関連付けられたラチェットプレートに対して回転させられると、前記複数の表面凹部のうち別の表面凹部と接触するように配置される１つまたは複数のプレートエッジを備える、請求項１記載の南京錠。
【請求項１２】
前記スピンドルが、前記スピンドルの前記円筒状表面の一部となるように形成される細長いスロットをさらに備え、前記ラチェットウェーブプレートのそれぞれが、前記スピンドルの前記円筒状表面を受容するように配置される内径を有する第１プレートリングからなり、前記ラチェットウェーブプレートのそれぞれが、前記スピンドルの突出部の１つを受容するように配置される第１プレートスロット、および前記第１プレートリングから前記内径側へと延びる第１プレートテール部をさらに備え、前記第１プレートテール部は、前記ラチェットウェーブプレートが前記スピンドルに対して回転することを防止するように、前記スピンドルの前記細長いスロット内に位置するように配置される、請求項１１記載の南京錠。
【請求項１３】
複数のリセットラチェットプレートをさらに備え、各リセットラチェットプレートは、ラチェットウェーブプレートに隣接するように位置付けられ、各リセットラチェットプレートは、前記スピンドルの前記円筒状表面を受容するように配置される内径を有する第２プレートリングからなり、前記リセットラチェットプレートが、前記スピンドルの前記突出部の１つを受容するように配置される第２プレートスロット、および前記第２プレートリングから前記第２プレートリングの前記内径側へと延びる第２プレートテール部をさらに備え、前記第２プレートテール部は、前記リセットラチェットプレートが前記スピンドルに対して回転することを防止するように、前記スピンドルの前記細長いスロット内に位置するように配置され、前記リセットラチェットプレートのそれぞれが、前記第２プレートリングの外径から延びる複数のフィンガを備え、前記ダイヤルのそれぞれが、前記スピンドルに対して回転すると、リセットラチェットプレートの前記フィンガと接触するように配置される複数の表面スロットを有する内側表面を備える、請求項１２記載の南京錠。
【請求項１４】
前記クラッチの前記突出した内側リングが、前記リング厚さの一部に亘って形成される、複数の欠陥性切欠き部をさらに備える、請求項５記載の南京錠。
【請求項１５】
前記ロックハウジングの前記底部部分が、複数のねじ受け孔を備え、前記ロックハウジングが、前記本体上部を前記底部部分上の前記ねじ受け孔に留めるように配置されるねじをさらに備え、前記本体上部が、前記ねじの挿入のために構成されるねじ孔を備え、前記スピンドルが、前記ねじが前記本体下部上の前記ねじ受け孔に達することを可能にするための、前記円筒状表面上に複数のねじ通しスロットを備える、請求項７記載の南京錠。
【発明の詳細な説明】
【技術分野】
【０００１】
［関連出願の相互参照］
本出願は、２０１５年７月７日に出願された米国仮特許出願第６２／１８９、３４４号の優先権を米国特許法第１１９条の下で主張する。その出願の開示内容は、参照により完全に詳述されたものとして、本明細書に組み込まれる。
【０００２】
［技術分野］
本発明は、南京錠に関連し、特に、二重施錠機構を有する南京錠に関する。
【背景技術】
【０００３】
未認証者が遮断および施錠されている特定の物や場所へのアクセスを得ることを防ぐために、数多くの南京錠構造が開発され、そして広く使用されている。多くの錠は鍵によって開けられるように構成されているが、数多くの、特定の組み合わせを知っておくことによって開けられる、文字合せ錠構造が開発されている。
【０００４】
その容易さおよび利便性により広く普及している特定の種類の文字合せ錠は、個別に回転可能な複数のダイヤルを使用する文字合せ錠であり、各ダイヤルが、通常は数字や文字である、錠を解除するための組み合わせを含むインディシアの１つを形成している。典型的には、文字合せ錠は、ユーザが所望の組み合わせの文字列をセットまたはリセットすることができるモードまたは位置を有する。
【０００５】
飛行機による移動では、新たな規則および要件により、税関吏やトランジットの保安職員により、疑わしいとみなされる手荷物へのアクセスを得るために、どのような南京錠も物理的に破壊することが許可される。これら新たな保安規則に基づき、望ましくないとみなされる、危険性のある物品または製品の輸送を防止するためにすべての手荷物はスキャンおよび検査されなければならない。現在、南京錠は、２つの異なる個別の施錠機構を有し、その両方の施錠機構は個別に、単一の掛け金の開放および／または施錠するための係合を可能にしている。このようにして、鍵作動領域または組み合わせ作動領域のいずれかを使用することにより、南京錠を開けることができる。鍵作動領域により、保安職員がマスターキーを用いて南京錠を開け、そして、検査が完了すると南京錠を適切に再度施錠することが可能となる。
【発明の概要】
【０００６】
本発明は、二重施錠機構を有するダイヤル式南京錠を提供する。南京錠は、コードの組み合わせ、または鍵オーバーライド機構により開けることができる。
【０００７】
本発明の一態様は、施錠モードおよび開錠モードで動作可能である南京錠であって、南京錠は、ヒール部およびトー部を有する掛け金と、掛け金のヒール部を収容するように構成されるロックハウジングと、ロックハウジング内に設置され、コード式施錠機構を提供するように配置されるスピンドルと、複数のクラッチと、複数のダイヤルと、スピンドルと関連して設置されるオーバーライド機構と、を備え、ロックハウジングが、上部部分、中央部分および底部部分を備え、掛け金が、第１掛け金位置から第２掛け金位置へと、ロックハウジングから部分的に開放されることが可能であり、コード式施錠機構が、コードの組み合わせに基づいて南京錠を施錠モードまたは開錠モードに動作させるように構成され、スピンドルは、円筒状表面を備え、複数のクラッチは、スピンドルの円筒状表面上に回転可能に取り付けられ、複数のダイヤルは、コードの組み合わせを形成するために、クラッチと関連してロックハウジングの中央部分に取り付けられ、オーバーライド機構は、掛け金が開錠モードに動作させるように作動可能であり、南京錠が施錠モードに動作されたとき、掛け金は、第１掛け金位置にあり、南京錠が開錠モードに動作されたとき、掛け金は、第２掛け金位置にあり、スピンドルに対するクラッチの回転移動を制御するように、クラッチのそれぞれが、１つまたは複数の突出フィンを上に有する突出した外側リングを備え、ダイヤルのそれぞれが、クラッチの１つまたは複数の突出フィンを受容するように配置される複数のリング間隙を上に有する突出した内側リングを備える、
南京錠である。
【０００８】
本発明の実施形態によると、掛け金のヒール部が、首部領域を備え、南京錠が、施錠モードに動作されたときに、掛け金が第１掛け金位置から離れるように移動することを防止するように、ヒール部の首部領域に係合するように配置されるフォークを有するラッチをさらに備える。
【０００９】
本発明の実施形態によると、スピンドルが、ヒール部を収容するためのスピンドルチャネルを備え、スピンドルチャネルは、ヒール部の首部領域の一部を収容するためのチャネル部を有し、ラッチは、チャネル部と関連して設置され、スピンドルが、フォークを、ヒール部の首部領域との係合関係を維持するように、ラッチに係合するように配置されるカムをさらに備える。
【００１０】
本発明の実施形態によると、オーバーライド機構が、鍵によって作動可能であり、それによって、カムがラッチのフォークの、ヒール部の首部領域との係合を解除し、掛け金が第１掛け金位置から第２掛け金位置へと移動することが可能になる。
【００１１】
本発明の実施形態によると、ロックハウジングの底部部分が、本体下部を備え、スピンドルが第１スピンドル位置から第２スピンドル位置への垂直移動でロックハウジングの上部部分に向けて上方向に移動させられ得るように、前記スピンドルが本体下部上に移動可能に取り付けられ、クラッチのそれぞれが、所定のリング厚さおよびリング厚さに亘って形成される解錠用間隙を有する突出した内側リングを備え、スピンドルが、円筒状表面から延びる複数の突出部を備え、各突出部は、クラッチと関連付けされ、それによって、突出部が関連付けされたクラッチの解錠用間隙と揃わないとき、クラッチの内側リングは、スピンドルが上方向に移動することを防止する。
【００１２】
本発明の実施形態によると、南京錠が施錠モードに動作されたとき、ダイヤルは、コードの組み合わせを変えるために、スピンドルに対して回転可能であり、クラッチはダイヤルとともに回転させられ、コードの組み合わせが所定のコードに一致する場合、各クラッチの解錠用間隙が、スピンドルの関連する突出部と揃い、掛け金が、第１掛け金位置から第２掛け金位置へと上方向に引き上げられると、スピンドルが、第１スピンドル位置から第２スピンドル位置へと移動することが可能となり、開錠モードで南京錠を動作させる。
【００１３】
本発明の実施形態によると、複数のダイヤルが、第１のダイヤルおよび最後のダイヤルを含むダイヤルスタックを形成し、最後のダイヤルは、ロックハウジングの本体下部と接触するように位置付けられ、ロックハウジングの上部部分が、第１のダイヤル上に取り付けられる本体上部を備え、本体上部は、ロック孔および本体上部孔を備え、ロック孔は、掛け金のトー部を受容するように寸法決めされ、本体上部孔は、掛け金のヒール部の設置のために、スピンドルチャネルと連通し、本体上部孔が、延在する第１の切欠き部および延在する第２の切欠き部を有し、掛け金のヒール部が、掛け金が第１掛け金位置にあるとき、本体上部孔に隣接して、ロックハウジング内に位置する掛け金突出部を備え、掛け金が、第２掛け金位置へと上方向に移動させられると、掛け金突出部もまた、延在する第１の切欠き部を通過してロックハウジングの外部へと移動させられる。
【００１４】
本発明の実施形態によると、複数のクラッチが、第１のダイヤルと関連付けられる第１のクラッチ、および最後のダイヤルと関連付けられる最後のクラッチを有するクラッチスタックを形成し、スピンドルが、スピンドルの円筒状表面から延びるスピンドルエッジを備え、スピンドルエッジは、第１のクラッチの突出した内側リングと関連して位置付けられ、第２掛け金位置にある掛け金が、掛け金突出部を本体上部孔の延在する第２の切欠き部と揃えるように回転させられると、掛け金のヒール部は、スピンドルを下方向移動で下方向に移動させるように下方向に移動することが可能となり、スピンドルの下方向移動は、スピンドルのスピンドルエッジが第１のクラッチの突出した内側リングを下方向に押し下げると、クラッチの、ダイヤルとの係合を解除させる。
【００１５】
本発明の実施形態によると、スピンドルの下方向移動は、また、スピンドルの突出部を、クラッチの解錠用間隙に係合させ、クラッチがスピンドルに対して回転することが防止され、クラッチの、ダイヤルとの係合が解除されると、ダイヤルは、リセットプロセスにおいて、所定のコードを変更するために、独立して、個別に回転させられることが可能である。
【００１６】
本発明の実施形態によると、ロックハウジングの底部部分が、スピンドルの下方向移動に続いて、掛け金およびスピンドルが上方向に移動させられた後に、クラッチを上方向に移動させるための付勢力を与えるように配置されるばねを備える。
【００１７】
本発明の実施形態によると、クラッチのそれぞれが、第１の面および反対側の第２の面を備え、第１の面は、１つまたは複数の突出フィンを備え、反対側の第２の面は、複数の表面凹部を有する表面を有し、南京錠は、複数のラチェットウェーブプレートをさらに備え、ラチェットウェーブプレートのそれぞれは、クラッチと関連付けられるように配置され、各ラチェットウェーブプレートは、クラッチが関連付けられたラチェットプレートに対して回転させられると、複数の表面凹部のうち別の表面凹部と接触するように配置される１つまたは複数のプレートエッジを備える。
【００１８】
本発明の実施形態によると、スピンドルが、スピンドルの円筒状表面の一部となるように形成される細長いスロットをさらに備え、ラチェットウェーブプレートのそれぞれが、スピンドルの円筒状表面を受容するように配置される内径を有する第１プレートリングからなり、ラチェットウェーブプレートのそれぞれが、スピンドルの突出部の１つを受容するように配置される第１プレートスロット、および第１プレートリングから内径側へと延びる第１プレートテール部をさらに備え、第１プレートテール部は、ラチェットウェーブプレートがスピンドルに対して回転することを防止するように、スピンドルの細長いスロット内に位置するように配置される。
【００１９】
本発明の実施形態によると、南京錠は、複数のリセットラチェットプレートをさらに備え、各リセットラチェットプレートは、ラチェットウェーブプレートに隣接するように位置付けられ、各リセットラチェットプレートは、スピンドルの円筒状表面を受容するように配置される内径を有する第２プレートリングからなり、リセットラチェットプレートが、スピンドルの突出部の１つを受容するように配置される第２プレートスロット、および第２プレートリングから第２プレートリングの内径側へと延びる第２プレートテール部をさらに備え、第２プレートテール部は、リセットラチェットプレートがスピンドルに対して回転することを防止するように、スピンドルの細長いスロット内に位置するように配置され、リセットラチェットプレートのそれぞれが、第２プレートリングの外径から延びる複数のフィンガを備え、ダイヤルのそれぞれが、スピンドルに対して回転すると、リセットラチェットプレートのフィンガと接触するように配置される複数の表面スロットを有する内側表面を備える。
【００２０】
本発明の実施形態によると、突出した内側リングが、リング厚さの一部に亘って形成される、複数の欠陥性切欠き部をさらに備える。
【００２１】
ロックハウジングの底部部分が、複数のねじ受け孔を備え、ロックハウジングが、本体上部を底部部分上のねじ受け孔に留めるように配置されるねじをさらに備え、本体上部が、ねじの挿入のために構成されるねじ孔を備え、スピンドルが、ねじが本体下部上のねじ受け孔に達することを可能にするための、円筒状表面上に複数のねじ通しスロットを備える。
【図面の簡単な説明】
【００２２】
【図１Ａ】施錠モードの南京錠の横断側面図を示す。
【図１Ｂ】図１Ａの南京錠の横断下面図を示す。
【図２Ａ】密閉キャップの図を示す。
【図２Ｂ】密閉キャップの別の図を示し、底部の部分を示す等角図である。
【図３Ａ】スピンドルの一方の半分の図を示す。
【図３Ｂ】スピンドルの一方の半分の別の図を示す。
【図４Ａ】ダイヤルの図を示す。
【図４Ｂ】ダイヤルの別の図を示す。
【図５Ａ】クラッチの図を示す。
【図５Ｂ】クラッチの別の図を示す。
【図６Ａ】スピンドルの他方の半分の図を示す。
【図６Ｂ】スピンドルの他方の半分の別の図を示す。
【図７】スピンドルの等角図である。
【図８】ラッチの等角図である。
【図９】ラチェットウェーブプレートの等角図である。
【図１０】トップの等角図である。
【図１１】リセットラチェットプレートの等角図である。
【図１２Ａ】本体下部の上部面の等角図である。
【図１２Ｂ】本体下部の底部面の等角図である。
【図１３Ａ】本体上部の底部面の等角図である。
【図１３Ｂ】本体上部の上部面の等角図である。
【図１４】シリンダの等角図である。
【図１５】カムの等角図である。
【図１６Ａ】リセットカップの上部面の等角図である。
【図１６Ｂ】リセットカップの底部面の等角図である。
【図１７Ａ】鍵によって開けられ、スピンドルが、離れるように回転された南京錠の横断側面図を示す。
【図１７Ｂ】図１７Ａの南京錠の横断下面図を示す。
【図１８Ａ】一致したコードの組み合わせにより開けられた南京錠の横断側面図を示す。
【図１８Ｂ】図１８Ａの南京錠の横断下面図を示す。
【図１９Ａ】スピンドルが離れるように回転された後の図１８Ａの南京錠の横断側面図を示す。
【図１９Ｂ】図１９Ａの南京錠の横断下面図を示す。
【図２０】南京錠の一部の横断側面図であり、ダイヤル、クラッチ、ラチェットウェーブプレート、リセットラチェットプレート、リセットカップおよびばねの関係を示す。
【発明を実施するための形態】
【００２３】
図１Ａ、１Ｂ、および６Ｂにみられるように、本発明は、ロックハウジング内に収納される二重施錠機構を有するダイヤル式南京錠を対象とする。南京錠１０は、コードの組み合わせおよび鍵オーバーライド機構によって開けることができる。ロックハウジングは、上部部分、中央部分、および底部部分の３つの部分を有する。上部部分は本体上部１５０を含み、中央部分は、複数のダイヤル４０およびクラッチ５０を含み、底部は本体下部１３０を含む。ロックハウジングは、掛け金７０の長脚部７１（ヒール部）を収容するように構成される。二重施錠機構は、南京錠をコードの組み合わせに基づく施錠モードに維持するためのコード式施錠機構を提供するために、ロックハウジング内に位置するスピンドル６０を含む。組み合わせ式施錠機構は、クラッチ５０の回転移動を制御するためにクラッチ５０に取り付けられるダイヤル４０によって制御される。すべてのダイヤル４０が、プリセットされた開錠用の組み合わせに合うように回されると、それに応じて、解錠用間隙５１がスピンドル６０の突出部６１と揃うように各クラッチ５０も回される。解錠用間隙は、クラッチ５０の突出した内側リングの厚さに亘って形成されている。解錠用間隙５１が突出部６１と揃うことによって、ユーザは、スピンドル６０を（ロックハウジングの底部から離れるように）上方向に引き上げて南京錠１０を開錠モードにすることができる。スピンドル６０は、掛け金７０の長脚部７１をロックハウジング内に設置するためのスピンドルチャネル６００２を有し、スピンドルチャネル６００２は、停止壁６９を備える下側チャネル部６００３を有する。掛け金７０は、掛け金７０の長脚部７１の首部領域７３が、スピンドルの下側チャネル部６００３に部分的に位置するような位置に設置される。首部領域７３は、上側表面７２および下側表面７６を有する。掛け金７０の首部領域７３の上側表面７２と下側表面７６との間には、ラッチ８０が設置されている。組合せ開錠モードおよび施錠モードにおいては、ラッチ８０のフォーク８２は、常に掛け金７０の首部領域７３の下側表面７６に係合する。ラッチ８０は、スピンドル６０のラッチチャネル６２の内側に設置される。そのようにして、掛け金７０およびスピンドル６０は共に引き上げられる、または押し下げられる。鍵開錠モードにおいて、掛け金７０の首部領域７３の下側表面７６およびスピンドルチャネル内の停止壁６９が、掛け金７０の上方向移動を制限する。組合せモードにおいて錠を開けるために、クラッチ５０の解錠用間隙５１が、スピンドル６０の突出部６１と揃えられると、掛け金７０は上方向に引き上げられ得る。
【００２４】
この南京錠の利点は、そのリセット機構である。コードの組み合わせによって南京錠を開けると、ユーザは、掛け金を１８０度（角度量（角度）は本体上部孔１５３の構成に応じて異なってもよい）回転させる必要があり、そして、掛け金７０をリセット位置へと下方向に押し下げる。ユーザが掛け金７０をリセット位置へと下方向に押し下げると、スピンドル６０もまた、下方向に押し下げられる。しかし、スピンドル６０の突出部６１は、関連するクラッチ５０の解錠用間隙５１内に係合されたままである。そのようにして、リセットモードでは、クラッチ５０は、スピンドル６０に対して回転させることができない。スピンドル６０の縁部６８が最上部のクラッチ５０の内側表面５４と接触することにより、スピンドル６０をさらに下方向に移動させると、全てのクラッチ５０が下方向に押し下げられ、それにより、各クラッチ５０のすべての突出フィン５３の、関連するダイヤル４０のリング間隙４１との係合が解除される。突出フィン５３は、クラッチ５０の突出した外側リング上に設けられ、リング間隙４１は、ダイヤル４０の内側リング上に設けられる。それらの係合が解除されると、ユーザは、ダイヤル４０を回転させて、希望の番号を本体上部１５０の表示マーク１５４に揃えることによって、新しいコードをセットすることができる。上記のように、突出フィン５３の、ダイヤル４０のリング間隙４１との係合が解除されると、ダイヤル４０の回転移動は、クラッチに伝達されない。しかし、クラッチ５０の解錠用間隙５１は、スピンドル６０の突出部６１と係合したままであり、クラッチの回転移動は防止される。新しい組み合わせコードをセットした後に、ユーザは、掛け金７０を解放することができる。底部のばね１８０は、すべてのクラッチ５０を上方向に移動させるために、上方向の力を発生させる。各クラッチ５０の突出フィン５３は、ダイヤル４０のリング間隙４１に係合する。図４Ａおよび４Ｂに示されるように、突出した内側リングの下部にリング間隙４１を、および突出した内側リングの上部部分に段部４４を形成するように、ダイヤル４０のそれぞれは、ダイヤル４０の内径から内側に延びる突出した内側リングを有している。段部４４は、ダイヤル４０の内径よりも小さい外径を有している。ダイヤル４０のそれぞれは、また、ダイヤル４０の内径に形成される複数の表面スロット４６を有している。
【００２５】
ばね１８０は、ロックハウジング内で、本体下部１３０上に設置され、各クラッチ５０の突出フィン５３が関連するダイヤル４０のリング間隙４１に接触するまで、ばね１８０による上方向の付勢力をクラッチ５０のスタックへと伝達させ、それによって、クラッチ５０とダイヤル４０とが係合位置にくるように、リセットカップ１９０がばね１８０の上に設置される。図１Ａに見られるように、クラッチ５０のそれぞれの下方、リセットラチェットプレート１２０の上には、ラチェットウェーブプレート９０がある。ラチェットウェーブプレート９０は、クラッチ５０のラチェットゲート５２と接触する１つまたは複数のウェーブ端部９１を備える。ラチェットウェーブプレート９０は、また、テール部９２を含み、テール部９２は、ラチェットウェーブプレート９０が、いずれのモードにおいても回転移動することのないスピンドル６０に対して回転移動することを防止するために、スピンドル６０のテール部受容スロット６７の内部に設置される。錠が施錠位置にあるとき、クラッチのそれぞれは、関連するダイヤル４０と共に回る。ユーザがダイヤル４０のそれぞれを回すと、クラッチ５０のラチェットゲート５２のいくつかが、ラチェットウェーブプレート９０のウェーブ端部９１に係合する。これにより、ダイヤル４０を回すたびに、「カチッ」という音および感触が生まれる。さらに、リセットラチェットプレートのそれぞれは、ダイヤル４０の表面スロット４６に係合するように配置されるフィンガ１２１を有する。ユーザがダイヤル４０をリセットモードに合わせると、フィンガ１２１が、ダイヤル４０の表面スロット４６と接触し、それによって、リセットモード中のラチェット感を提供する。
【００２６】
この錠のもう１つの特徴は、覗き見防止機能である。ダイヤルが別のダイヤルの上に積み重ねられているため、下のダイヤルは、上のダイヤル４０の底端部４５に設置される段差状表面４４を有する（図２０）。さらに、本体上部１５０は、上部ダイヤル４０の段差状表面４４と接続する段差端部表面１５７を有し、本体下部１３０は、底部ダイヤル４０の底端部４５と接続する段差１３２を有する。そのような段差およびその配置により、ダイヤル４０の段差状表面４４および本体下部１３９の段差１３２は、錠の機構内部への視界を遮り、錠のピッキングを困難にしている。さらに、錠１０は、本体上部１５０を本体下部１３０に留めるためのねじ１４０を有し、ねじは、本体上部１５０のねじ孔１５６、ダイヤル４０、クラッチ５０およびスピンドル６０を通過して、本体下部１３０のねじ孔１３４に達する。ねじ１４０のそれぞれを隠すために、密閉キャップ２０が、ねじキャップ孔１５５の内部に設置される。ロックハウジング内では、ダイヤルが回転可能である間、垂直（上方向および下方向）移動しないように、ダイヤルは互いの上に積み重ねられる。
【００２７】
最後に、この錠のもう１つの利点は、旅行者が、旅行中に組み合わせ機構を使用することを可能にし、かつ、ＴＳＡ職員が、鍵作動機構を使用して手荷物を検査することを可能にすることである。
【００２８】
ダイヤル、クラッチ、ラチェットウェーブプレート、リセットラチェットプレート、およびスピンドルの設置（図１Ａ〜１Ｂ、および図２０）
スピンドル６０は、ラチェットウェーブプレート９０のテール部９２およびリセットラチェットプレート１２０のテール部１２２を受容するための、テール部受容スロット６７を有する。ラチェットウェーブプレート９０は、各クラッチ５０の下に設置され、テール部９２は、スピンドル６０のテール部受容スロット６７内に設置される。これにより、ラチェットウェーブプレート９０の回転移動が防止される。クラッチ５０は、クラッチ５０の回転移動ごとに、クラッチ５０の各ラチェットゲート５２に係合するウェーブ端部９１によってラチェットの感触（クリック感）が生まれるように、ラチェットウェーブプレート９０のウェーブ端部９１を受容するためのラチェットゲート５２を有する。各ラチェットウェーブプレート９０の下には、リセットラチェットプレート１２０がある。各リセットラチェットプレート１２０は、ダイヤル４０の表面スロット４６に係合するためのフィンガ１２１を有する。クラッチ５０、ラチェットウェーブプレートおよびリセットラチェットプレート１２０の積み重ねは、下のクラッチ５０の上側端部５６が、上のリセットラチェットプレート１２０と接触するように実行される。各クラッチ５０は、ダイヤル４０のリング間隙４１が、施錠モード、組み合わせ開錠モード、および鍵開錠モードにおいて、クラッチ５０の突出フィン５３と係合するように、ダイヤル４０の内部に設置される。ダイヤル４０のリング間隙４１は、リセットモードにおいてのみ、クラッチ５０の突出フィン５３との係合が解除される。ダイヤル４０は、数字を分けるために複数の数字区切り４２をさらに備える。
【００２９】
施錠モードおよび施錠構成（図１Ａ〜１６Ｂおよび図２０）
スピンドル３０／６０は、２つの部分を有し、以降、本明細書においてはスピンドル６０と呼称される単一体とするためにリベット留めされる。スピンドル６０は、スピンドルの半分同士がリベット留めされ、スピンドル６０となる際に、上部キャップ１００のキャップ孔１０１を受容するために配置される、２つのピン３３および６３を有する。スピンドル６０は、掛け金７０の首部領域７３を収容するために配置される下部チャネル部６００３を含むスピンドルチャネル６００２を有する。スピンドル６０は、また、ラッチ８０を設置するためのラッチチャネル６２を有する。スピンドル６０は、掛け金７０の首部領域７３をスピンドルチャネル６００２内に設置し、ラッチ８０をラッチチャネル６２内に設置した後に、単一体となるようにリベット留めされることが理解される。スピンドル６０は、また、本体下部１３０の湾曲ブロック１３１内に設置される湾曲部６５を有する。スピンドル６０の湾曲部６５が、すべてのモードにおいて本体下部１３０の湾曲ブロック１３１と接触するため、スピンドル６０はロックハウジングに対して回転移動しない。スピンドル６０は、本体下部１３０およびロックハウジング全体に対して、垂直移動のみを行う。スピンドル６０のねじ通しスロット３６、６６は、スピンドル６０の垂直移動に干渉することなく、ねじまたは任意のリベット留めされた材料が通過することを可能にする。
【００３０】
ダイヤル４０は、クラッチ５０の突出フィン５３を受容するように配置されるリング間隙４１を有する。施錠モードでは、ダイヤル４０のリング間隙４１が、クラッチ５０の突出フィン５３に係合するため、ダイヤル４０の回転移動はクラッチ５０に直接伝達される。それにより、クラッチ５０およびダイヤル４０が、共に回される。ダイヤル４０は、本体上部１５０と本体下部１３０との間に挟まれるスタックを形成する。より具体的には、最下部のダイヤル４０の底側端部が、本体下部１３０の段差１３２と接触し、最上部のダイヤル４０の突出リング４３の段差状表面４４が、本体上部１５０の段差端部表面１５７と接触する。そのようにして、ダイヤル４０は、垂直移動しない。ダイヤル４０のスタックの内部に、クラッチ５０、ラチェットウェーブプレート９０、リセットラチェットプレート１２０およびリセットカップ１９０が、スピンドル６０の円筒状表面を覆うように取り付けられる。
【００３１】
本体上部１５０は、また、すべてのクラッチ５０の解錠用間隙５１がスピンドル６０の突出部６１と揃うと、スピンドル６０が上方向に移動することを可能にする、表面１５８を有する切り抜き部１５９を有する。コードの組み合わせが所定のコード、つまり組合せ開錠コードと一致するようにダイヤルが回されたときにのみ、スピンドル６０のこの上方向の移動は可能となる。整列が達成されると、ユーザは掛け金７０を上方向に引き上げることができる。ラッチ８０は、掛け金７０の首部領域７３と係合し、スピンドル６０は、また、スピンドル６０の上部表面６００１が本体上部１５０の表面１５８と接触するまで上方向に引き上げられる。そして、掛け金７０の短脚部（トー部）７４の、本体上部１５０の、ロック孔１５１との係合が解除される。ロックハウジングは、本体上部１５０を本体下部１３４に留めるねじ１４０によって結合されるため、南京錠１０のすべての構成要素は、一体として維持される。
【００３２】
施錠モードでは、クラッチ５０のうちの少なくとも１つが開錠位置に揃っていない場合、クラッチ５０の解錠用間隙５１がスピンドル６０の突出部６１と揃わず、スピンドル６０の突出部６１によって、スピンドル６０が掛け金７０に引き上げられることが防止される。スピンドル６０は、上方向に移動しないため、掛け金７０の短脚部７４は、依然として本体上部１５０のロック孔１５１内に係止されたままである。
【００３３】
掛け金が、挟まれたロック位置にあるとは、スピンドル６０の内部に、掛け金７０の長脚部７１、ラッチ８０、シリンダ１６０およびカム１７０が設置されると説明される。シリンダ１６０内に鍵が設置されていないため、ウェハ１１０がロック位置にあり、シリンダ１６０を回すことができない。シリンダ１６０を回すことができないと、カム１７０を回すことができない。カム１７０の突出ピン１７１は、ラッチ８０のスロット８１と係合される。カム１７０は回転することができないため、ラッチ８０もまた、ロック位置にある。ラッチ８０のフォーク８２は、掛け金７０の首部領域７３の底部表面７６に係合し、掛け金７０が、上方向に移動して短脚部７４を本体上部１５０のロック孔１５１から解放することを防いでいる。これが、掛け金が、挟まれたロック位置にあるということである。
【００３４】
掛け金７０、ラッチ８０、スピンドル６０およびクラッチ５０の関係に関して既に述べたように、スピンドル６０は、クラッチ５０の解錠用間隙５１が、スピンドル６０の突出部６１と揃うときにのみ、上方向に移動する。
【００３５】
クラッチ５０は、スピンドル６０の突出部６１が、錠をピッキングすることが困難となるように接触することを可能にする、少なくとも１つの欠陥性切欠き部５５を有する。欠陥性切欠き部５５は、各クラッチ５０の突出した内側リングの下部に設けられる。
【００３６】
ダイヤル４０のそれぞれは、内部の機構が覗かれることを防止する突出リング４３をさらに備える。本体下部１３０は、また、侵入者により底部ダイヤル４０の内部機構が覗かれることを防止するための段差１３２を有する。
【００３７】
コードの組み合わせによる開錠（図１８Ａ〜１８Ｂ）
コードの組み合わせによって開錠するためには、ユーザは、ダイヤル４０を本体上部１５０上の表示マーク１５４に揃えることによって南京錠を開ける必要がある。ダイヤル４０が開錠コードと揃うと、クラッチ５０の解錠用間隙５１は、スピンドル６０の突出部６１と揃う。それらが揃うと、ユーザは、掛け金７０を上方向に引き上げることができ、それによって、（掛け金７０、ラッチ８０、およびスピンドル６０は、挟まれたロック位置にあるため）スピンドル６０が上方向に引き上げられることが可能となる。掛け金７０が上方向に引き上げられると、掛け金７０の短脚部７４が、本体上部１５０のロック孔１５１から離れるように移動する。本体上部１５０は、掛け金７０の長脚部７１の配置を可能にするように、スピンドルチャネル６００２と連通する本体上部孔１５３を有する。掛け金７０が上方向に引き上げられると、掛け金７０の突出部７５が、本体上部１５０の本体上部孔１５３の延在する切欠き部１５２から出るように移動する。掛け金７０が上方向に引き上げられると、スピンドル６０も同様に引き上げられる。スピンドル６０は、スピンドル６０の上部表面６００１が本体上部１５０の表面１５８と接触するまで上方向に移動する。すると、掛け金７０の短脚部７４が、本体上部１５０のロック孔１５１から外れるように移動する。掛け金は係止位置から解放されると、自由に回転することができる。
【００３８】
なお、大型の湾曲部６５が依然として本体下部１３０の湾曲ブロック１３１と係合しているため、スピンドル６０は回転移動しない。スピンドル６０が回転移動せず、スピンドル６０の突出部６１がクラッチ５０の解錠用間隙５１に係合するため、組合せ開錠モードのクラッチ５０は回転移動しない。組合せ開錠モードでは、ダイヤル４０のリング間隙４１がクラッチ５０の突出フィン５３と係合するため、ダイヤル４０を回すことができない。これは、組合せ開錠モード時にユーザが誤ってダイヤルを回してしまうことを防止するのに役立ち、それによって、掛け金７０の短脚部７４が、ユーザによっていつでも本体上部１５０のロック孔１５１に戻されることが可能であり、ユーザが、掛け金７０の短脚部７４を問題なく係止位置へと押し戻すことが可能である。
【００３９】
リセットラチェットプレート１２０のテール部１２２およびラチェットウェーブプレート９０のテール部９２は、スピンドル６０のテール部受容スロット６７の内部に設置される。つまり、ダイヤル４０およびクラッチ５０により生み出されるどのような回転移動も、リセットラチェットプレート１２０およびラチェットウェーブプレート９０を回転させることはない。このことは、これら２つのプレート１２０および９０は、施錠モード、組み合わせによる開錠モード、鍵による開錠モード、およびリセットモードの、すべてのモードにおいて回転させるべきではないため、重要である。
【００４０】
リセットモード（図１９Ａ〜１９Ｂ）
ユーザがコードの組み合わせによって錠を開けると、スピンドル６０の突出部６１は、クラッチ５０の解錠用間隙５１に係合する。次にユーザは、掛け金７０の突出部７５が、本体上部１５０の反対側の突出した切欠き部１５２で落ち得るように、掛け金を１８０度（任意に指定された角度量であってもよい）回転させ得る。するとユーザは、再度掛け金７０を下方向に押し下げることができる。このとき、掛け金７０は、スピンドル６０の縁部６８が、クラッチ５０の内側表面５４に接触するように、スピンドル６０を同様に押し下げる。その接触のため、スピンドル６０の突出部６１には、クラッチ５０の解錠用間隙５１と係合する部分があり、それによってクラッチが回転移動することが防止される。そして、ユーザが掛け金７０およびスピンドル６０をさらに下方向に押し下げると、スピンドル６０の縁部６８が、クラッチ５０の内側表面５４を同様にさらに下方向に押し下げ、これによって、クラッチ５０の突出フィン５３の、ダイヤル４０のリング間隙４１との係合が解除される。係合が解除されるため、ユーザは、クラッチ５０を回転させることなく、ダイヤル４０を回すことができる。そのようにして、ユーザは新しいコードを得ることができる。なお、このとき、クラッチ５０の解錠用間隙５１は、スピンドル６０の突出部６１と係合している。ダイヤル４０を本体上部１５０の表示マーク１５４と並ぶように回すことで、ユーザは、コードを新しい所望の組み合わせに合わせることが可能となる。
【００４１】
スピンドル６０の突出部６１は、クラッチ５０の解錠用間隙５１に係合するため、クラッチ５０がどのような回転移動をすることも防止される。クラッチ５０は回転移動しないため、ラチェットウェーブプレート９０は無音のままであり、リセットラチェットプレート１２０によりラチェットの「カチッ」という感触が生み出される。リセットラチェットプレート１２０は、スピンドル６０のテール部受容スロット６７内に設置されるテール部１２２により、回転しない。スピンドル６０が回転移動しないため、リセットラチェットプレート１２０もまた、回転移動しない。ユーザがダイヤル４０をリセットモードへと回すと、リセットラチェットプレート１２０のフィンガ１２１が、ダイヤル４０の表面スロット４６と接触し、それによって、リセットモード時におけるラチェットの感触が提供される。
【００４２】
ダイヤル、クラッチ、ラチェットウェーブプレート、およびリセットラチェットプレートの設置は、既に説明されている。したがって、ユーザがクラッチ５０を下方向に押し下げると、クラッチ５０、ラチェットウェーブプレート９０、およびリセットラチェットプレート１２０の一揃いが、下方向に移動する。リセットカップ１９０は、ばね１８０と最後のリセットラチェットプレート１２０とを分けるために、最後のリセットラチェットプレート１２０の下に設置される。
【００４３】
セットした後、ばね１８０は、クラッチ５０の突出フィン５３がダイヤル４０のリング間隙４１と係合するまで、リセットカップ１９０、ならびにクラッチ５０、ラチェットウェーブプレート９０、およびリセットラチェットプレート１２０の一揃いを下方向に移動させるために押すための力を発生させてもよい。クラッチ５０、ラチェットウェーブプレート９０、およびリセットラチェットプレート１２０が積み重ねられると、ばね１８０からの力は、底のクラッチ５０から上部のクラッチ５０まで、これらすべての構成要素に伝わる。
【００４４】
スピンドル６０は、本体下部１３０の切抜き孔１３７を通過する底部６４を有する。リセットモードのときと同様に、スピンドル６０の底部６４は、本体下部１３０の切抜き孔１３７の外部に延び、錠がリセットモードであることを示す。
【００４５】
鍵機構モードによる開錠（図１７Ａ〜１７Ｂ）
鍵による施錠機構は、ウェハ・タンブラー型シリンダ１６０によって制御される。シリンダ１６０は、カム１７０の孔１７２に係合するように配置される突出ピン１６１を有する。カム１７０は、ラッチ８０のスロット８１に係合するように配置される突出ピン１７１を有する。ラッチ８０は、スピンドル６０のラッチチャネル６２内に設置される。正しい鍵２００が入ると、シリンダ１６０およびカム１７０が、回るようになる。カム１７０が回ると、カム１７０の突出ピン１７１が、ラッチ８０を水平移動で横方向に引きずる。そのようにして、ラッチ８０のフォーク８２は、掛け金７０の首部領域７３の下部表面７６との接触がなくなり、掛け金７０の首部領域７３に対する妨害がなくなる。したがって、掛け金７０は、自由に上方向に移動することができ、首部領域７３の下部表面がスピンドル６０の停止壁６９に当たるまで上方向に引き上げられることができる。掛け金７０の短脚部７４が上方向に移動し、本体上部１５０のロック孔１５１から解放される。
【００４６】
なお、スピンドル６０は、少なくとも１つのクラッチ５０の解錠用間隙５１がスピンドル６０の突出部６１と揃っていないとき、垂直移動をしない。
【００４７】
本発明は、錠本体、シリンダ、クラッチ、ダイヤルおよびスピンドルが中心線に対し同中心をなす、二重施錠式南京錠を提供する。掛け金は、クラッチおよびダイヤルの内部に設置される。
【００４８】
本発明はその１つまたは複数の実施形態に関連して説明されたが、本発明の範囲から逸脱することなく、その形状および細部に、前述および他の様々な変形、省略、相違が作製されてもよいことが当業者によって理解される。
【図１Ａ】
0006805228.tif 000002
【図１Ｂ】
0006805228.tif 000003
【図２Ａ】
0006805228.tif 000004
【図２Ｂ】
0006805228.tif 000005
【図３Ａ】
0006805228.tif 000006
【図３Ｂ】
0006805228.tif 000007
【図４Ａ】
0006805228.tif 000008
【図４Ｂ】
0006805228.tif 000009
【図５Ａ】
0006805228.tif 000010
【図５Ｂ】
0006805228.tif 000011
【図６Ａ】
0006805228.tif 000012
【図６Ｂ】
0006805228.tif 000013
【図７】
0006805228.tif 000014
【図８】
0006805228.tif 000015
【図９】
0006805228.tif 000016
【図１０】
0006805228.tif 000017
【図１１】
0006805228.tif 000018
【図１２Ａ】
0006805228.tif 000019
【図１２Ｂ】
0006805228.tif 000020
【図１３Ａ】
0006805228.tif 000021
【図１３Ｂ】
0006805228.tif 000022
【図１４】
0006805228.tif 000023
【図１５】
0006805228.tif 000024
【図１６Ａ】
0006805228.tif 000025
【図１６Ｂ】
0006805228.tif 000026
【図１７Ａ】
0006805228.tif 000027
【図１７Ｂ】
0006805228.tif 000028
【図１８Ａ】
0006805228.tif 000029
【図１８Ｂ】
0006805228.tif 000030
【図１９Ａ】
0006805228.tif 000031
【図１９Ｂ】
0006805228.tif 000032
【図２０】
0006805228.tif 000033